(57)【要約】【目的】  短時間でオーディオソースからHMI機器に描画データを転送して再生画像を表示できるようにした「オーディオ装置及びその描画データ転送方法」を提供する。【構成】  複数のオーディオソースおよびユーザインターフェース機器を低速の制御データ転送回線と高速の音声データ転送回線で接続し、通常時、制御データ転送回線を介してユーザインターフェース機器とオーディオソース間で音声データ以外のデータの送受を行い、再生するオーディオソースを変更した時、オーディオソースは自身の再生時にユーザインターフェース機器の表示部に表示する画像の描画データを音声データ転送回線を介して該ユーザインターフェース機器に転送し、ユーザインターフェース機器は該音声データ転送回線より描画データを受信して画像を発生して表示する。【選択図】        図１
2006040339.tif 000002
【特許請求の範囲】
【請求項１】
オーディオ装置の描画データ転送方法において、
複数のオーディオソースおよびユーザインターフェース機器を低速の制御データ転送回線と高速の音声データ転送回線で接続し、
通常時、前記制御データ転送回線を介して前記ユーザインターフェース機器と前記オーディオソース間でオーディオデータ以外のデータの送受を行い、
再生するオーディオソースを変更した時、オーディオソースは自身の再生時に前記ユーザインターフェース機器の表示部に表示する画像の描画データを前記音声データ転送回線を介して転送し、
前記ユーザインターフェース機器は該音声データ転送回線より描画データを受信して画像を発生して表示する、
ことを特徴とするオーディオ装置の描画データ転送方法。
【請求項２】
複数のオーディオソースとユーザインターフェース機器を備えたオーディオ装置において、
各オーディオソース、ユーザインターフェース機器を低速の制御データ転送回線と高速の音声データ転送回線で接続し、各オーディオソースは、
自身の再生時に前記ユーザインターフェース機器の表示部に表示する画像の描画データを保持する描画データ保持部、
通常時、前記制御データ転送回線を介して前記ユーザインターフェース機器と音声データ以外のデータの送受を行い、該ユーザインターフェース機器から再生が指示された時、前記音声データ転送回線を描画データ転送用に切り替えて前記保持している描画データを前記ユーザインターフェース機器に転送し、描画データ転送後、該音声データ転送回線を音声データ転送用に切り替える制御部、
を備え、前記ユーザインターフェース機器は前記音声データ転送回線より描画データを受信して画像を発生して表示する、
ことを特徴とするオーディオ装置。
【請求項３】
前記ユーザインターフェース機器は、
前記制御データ転送回線を介してオーディオソースに再生を指示した時、該音声データ転送回線より描画データを受信するよう制御する制御部、
該受信した描画データで前記オーディオソース用の画像を発生して表示する表示部、
を備えたことを特徴とする請求項３記載のオーディオ装置。
【発明の詳細な説明】
【技術分野】
【０００１】
本発明は複数のオーディオソースとユーザインターフェース機器を備えたオーディオ装置及びその描画データ転送方法に係わり、特に、各オーディオソースに自身の再生時に表示する画像の描画データを保持させておき、再生が指示された時に該描画データをユーザインターフェース機器に転送して表示するオーディオ装置及びその描画データ転送方法に関する。
【背景技術】
【０００２】
オーディオ装置は、CDプレーヤあるいはCDチェンジャ、ミニディスクプレーヤ、ＦＭ／ＡＭチューナなどの複数のオーディオソースと操作／表示用のユーザインターフェース機器（HMI機器：Human Interface機器）を備えている。HMI機器は、操作ボタン、キー類を備えた操作部と、再生中オーディオソースの状態やソフトキー画像あるいは各種調整用(イコライザ、サラウンドなどの調整用)画像を表示する表示部とを備え、表示部はタッチパネル構造になっており、表示されているボタン類を押下することにより所定の再生操作、調整操作が行なえるようになっている。
【０００３】
図７は従来のオーディオ装置のシステム構成図であり、HMI機器１１、CDチェンジャ１２、チューナ機器１３は制御データ用バス（制御データ転送回線）２１と音声データ用バス（音声データ転送回線）２２で相互にデータ送受可能に接続されている。HMI機器１１は、操作表示部１１ａとオーディオ回路１１ｂを備え、オーディオ回路にはスピーカ２３が接続されている。操作表示部１１ａは、操作ボタン、キー類を備えた操作部と、再生中のオーディオソースの状態やソフトキー画像あるいは各種調整用画像を表示する表示部とを備え、表示部はタッチパネル構造になっている。制御データ転送回線２１はHMI機器１１と各オーディオソース間で制御コマンドや描画データを送受する数十ｋｂｐｓの低速回線である。音声データ転送回線２２はHMI機器１１と各オーディオソース間でオーディオデータを送受する数Mｂｐｓの高速回線である。
【０００４】
HMI機器１１より制御データ転送回線２１を介して所定のオーディオソース、例えばCDチェンジャ１２に再生開始を指示すると、CDチェンジャ１２はCDから読み取ったオーディオデータを高速の音声データ転送回線２２を介してHMI機１１のオーディオ回路１１ｂに入力してスピーカ２３より出力する。操作表示部１１ａは各オーディオソースの再生時の初期表示画像を発生する描画データを保持しており、再生開始が指示されたオーディオソースの描画データを用いて初期表示画像を表示する。また、操作表示部１１ａは、再生時にトラック番号、ディスク番号、同調周波数などが変化した時、これらの可変描画データを差分描画データとして制御データ転送回線２１を介してオーディオソースから受信して表示画像の一部表示を変更する。
【０００５】
図８は従来のHMI機器１１とオーディオソース(たとえば、CDチェンジャ１２)間のデータ送受の説明図であり、HMI機器１１から制御データ転送回線２１を介してCDチェンジャ１２にトラックチェンジの制御コマンドが送られた例である。CDチェンジャ１２は該コマンドに基づいてトラックを変更して再生を開始すると共に、新たなトラック番号１１を制御データ転送回線２１を介してHMI機器１１に転送する。HMI機器１１は該トラック番号１１を受信すれば、今までのトラック番号に代えて表示する。図９はチューナ機器を再生オーディオソースとして選択時の表示例、図１０はCDチェンジャ選択、再生時の表示例である。
以上のように、HMI機器が各オーディオソースの表示画像（描画データ）を保持する構成であると、HMI機器が新規な被制御機器を制御する必要が生じる毎に、HMI機器を設計し直さなければならない問題がある。
ところで、制御部が被制御機器から該機器制御用の制御プログラムや表示メニュープログラムを読み取り、これらプログラムにより被制御機器を制御する従来技術(特許文献1参照)がある。この従来技術を採用してHMI機器がオーディオソース切り換え時に、オーディオソースから描画データを取得し、該描画データを用いて該オーディオソースの表示画像を発生することが考えられる。
【特許文献１】特開２００１−２５５９３０号公報
【発明の開示】
【発明が解決しようとする課題】
【０００６】
しかし、制御データや描画データは低速の制御データ転送回線２１を介して転送しなければならない。このため、グラフィカルな表示パターンや操作ボタンを有するオーディオソースの表示画像を発生する描画データをすべてHMI機器に転送して画像を発生するまでには時間がかかり、新たに選択されたオーディオソース用の表示画像の発生が遅れ、しかも、表示画像が発生する前に該オーディオソースの再生音が出力してしまう問題がある。
以上から本発明の目的は、短時間でオーディオソースからHMI機器に描画データを転送して表示画像を発生できるようにすることである。
【課題を解決するための手段】
【０００７】
上記課題は本発明によれば、オーディオ装置の描画データ転送方法において、複数のオーディオソースおよびユーザインターフェース機器を低速の制御データ転送回線と高速の音声データ転送回線で接続し、通常時、前記制御データ転送回線を介して前記ユーザインターフェース機器と前記オーディオソース間でオーディオデータ以外のデータの送受を行い、再生するオーディオソースを変更した時、オーディオソースは自身の再生時に前記ユーザインターフェース機器の表示部に表示する画像の描画データを前記音声データ転送回線を介して転送し、前記ユーザインターフェース機器は該音声データ転送回線より描画データを受信して画像を発生して表示するオーディオ装置の描画データ転送方法により達成される。
【０００８】
又、上記課題は本発明によれば、複数のオーディオソースとユーザインターフェース機器を備えたオーディオ装置において、各オーディオソース、ユーザインターフェース機器を低速の制御データ転送回線と高速の音声データ転送回線で接続し、各オーディオソースは、
自身の再生時に前記ユーザインターフェース機器の表示部に表示する画像の描画データを保持する描画データ保持部、通常時、前記制御データ転送回線を介して前記ユーザインターフェース機器と音声データ以外のデータの送受を行い、該ユーザインターフェース機器から再生が指示された時、前記音声データ転送回線を描画データ転送用に切り替えて前記保持している描画データを前記ユーザインターフェース機器に転送し、描画データ転送後、該音声データ転送回線を音声データ転送用に切り替える制御部、を備え、前記ユーザインターフェース機器は前記音声データ転送回線より描画データを受信して画像を発生して表示するオーディオ装置により達成される。前記ユーザインターフェース機器は、前記制御データ転送回線を介してオーディオソースに再生を指示した時、該音声データ転送回線より描画データを受信するよう制御する制御部、該受信した描画データで前記オーディオソース用の画像を発生して表示する表示備えている。
【発明の効果】
【０００９】
本発明によれば、再生するオーディオソースを変更した時、オーディオソースは自身の再生時にユーザインターフェース機器の表示部に表示する画像の描画データを、高速の音声データ転送回線を介してユーザインターフェース機器に転送し、ユーザインターフェース機器は該高速の音声データ転送回線より描画データを受信して画像を発生して表示するようにしたから、短時間でオーディオソースからHMI機器に描画データを転送して表示画像を発生できる。
【発明を実施するための最良の形態】
【００１０】
図1（A）、(B)は本発明の実施形態説明図である。
一般にHMI機器１１の表示部１１ａに表示されるユーザーインターフェイスとしての画像(表示画像)が大きく変化するのは、再生するオーディオソースを変更した場合である。図１（A）では、HMI機器１１から制御データ転送回線２１を介してCDチェンジャ１２にCDチェンジャ起動コマンド（Power ON CD-chg）が送られて、該CDチェンジャ１２が選択された場合が示されている。このとき、高速の音声データ転送回線２２は使用されていないため、CDチェンジャ１２は該音声データ転送回線２２を自身の表示画像発生用描画データの転送に利用して転送する。
【００１１】
その後、CDチェンジャ１２は、音声データ転送回線２２を本来の音声データ転送に切り替え、再生時に該音声データ転送回線２２が音声データ転送に使用されている期間、表示画像の差分データのみを、制御データ転送回線２１を通じて転送する。たとえば、図１（B）に示すように、HMI機器１１から制御データ転送回線２１を介してCDチェンジャ１２にトラックチェンジの制御コマンドが送られると、CDチェンジャ１２は該コマンドに基づいてトラックを変更して再生を開始すると共に、新たなトラック番号１１を差分描画データとして制御データ転送回線２１を介してHMI機器１１に転送する。HMI機器１１は該トラック番号１１を受信すれば、今までのトラック番号に代えて表示する。このように、一度再生が始まった後は、一部の情報が書き換わるだけであるため、差分描画データ量は一般的に小さい。このため、低速な制御データ転送回線２１でもレスポンスのよい表示が可能である。なお、ＨＭＩ機器１１から、オーディオソースへの制御データは、通常、情報量が小さいことから、制御データ転送回線２１を通じて転送する。
【実施例１】
【００１２】
図２は本発明のオーディオ装置のシステム構成図であり、図７の従来のシステム構成図と同一部分には同一符号を付している。HMI機器１１、CDチェンジャ１２、チューナ機器１３、ミニディスクプレーヤ１４は制御データ用バス（制御データ転送回線）２１と音声データ用バス（音声データ転送回線）２２で相互にデータ送受可能に接続されている。HMI機器１１は、操作表示部１１ａとオーディオ回路１１ｂを備え、オーディオ回路にはスピーカ２３が接続されている。操作表示部１１ａは操作ボタン、キー類を備えた操作部と再生中のオーディオソースの状態やソフトキー画像、あるいは各種調整用画像を表示する表示部を備え、表示部はタッチパネル構造になっている。制御データ転送回線２１はHMI機器１１と各オーディオソース間で制御コマンドや描画データを送受する数十ｋｂｐｓの低速回線である。音声データ転送回線２２はHMI機器１１と各オーディオソース間でオーディオデータを送受する数Mｂｐｓの高速回線である。
【００１３】
図３は制御データ、描画データ、音楽データを送受するためのHMI機器１１とCDチェンジャ１２の構成図であり、チューナ機器１３やミニディスクプレーヤ１４は省略している。
HMI機器１１において、操作部５１はパワーオン／オフボタンやソース選択キー等の操作ボタン、キー類を備えている。ソース選択キーによりCDチェンジャ１２を選択するとCPU５２は、バスドライバ５３、制御データ転送回線２１を介してCDチェンジャ１２に再生起動コマンドを送ると共に、信号切り替え部５４に信号ルート切り替えを指示する。これにより、以後、信号切り替え部５４は、音声データ転送回線２２、音声レシーバ５５を介して送られてくるデータを描画データとみなしてデータ変換部５６に入力する。データ変換部５６は音声データフォーマットで送られてくる描画データを本来の描画データフォーマットに変換し、CPU５２に入力する。CPU５２は、描画データを描画ドライバ５７に入力し、描画ドライバ５７は該描画データを用いてCDチェンジャ12の表示画像(図１０参照)を発生してタッチパネル構成の表示部５８に表示する。タッチパネル構成になっているため、トラックアップ／ダウン、一時停止、繰り返し、ランダム演奏などをタッチ操作で指示することができる。
【００１４】
CPU５２は、オーディオソース切り換え時における全描画データの受信が完了すれば、信号切り替え部５４に信号ルート切り替えを指示する。これにより、以後、信号切り替え部５４は、音声データ転送回線２２、音声レシーバ５５を介して送られてくるデータを音声データとみなしてDA変換回路５９に入力し、DA変換回路５９はオーディオデータをアナログ信号に変換し、アンプ６０は該オーディオ信号を増幅してスピーカ２３より出力する。
【００１５】
一方、CDチェンジャ１２において、CPU７１は制御データ転送回線２１、バスドライバ７２を介して再生起動コマンドを受信すれば、信号切り替え部７３に信号ルート切り替えを指示する。また、CPU７１は内蔵のメモリ７１ａに保持しているCDチェンジャ１２の表示画像発生用の描画データをデータ変換部７４に入力する。データ変換部７４は入力された描画データを音声データフォーマットに変換して信号切り替え部７３に入力する。信号切り替え部７３は該描画データを音声ドライバ７５、音声データ転送回線２２を介してHMI機器１１に送信する。全描画データの送信が完了すれば、CPU７１は信号切り替え部７３に信号ルート切り替えを指示すると共にCDメカ部７６に再生開始を指示する。これにより、以後、信号切り替え部７３は、CDメカ部７６から出力するCDから読み取った音声データを音声ドライバ７５、音声データ転送回線２２を介してHMI機器１１に送信する。
【００１６】
図４は本発明のCDチェンジャ１２の処理フロー、図５はHMI機器１１の処理フローである。
CDチェンジャ１２のCPU７１は再生起動コマンドを受信したか、すなわち、再生オーディオソースとして選択されたか監視し(ステップ１０１)、再生起動コマンドを受信すれば、音声データ転送回線２２を描画データ転送用に切り替え(ステップ１０２)、描画データを転送する(ステップ１０３)。ついで、CPU７１は描画データの転送が完了したか監視し(ステップ１０４)、全描画データの転送が完了すれば、音声データ転送回線２２を音声データ転送用に戻し(ステップ１０５)、以後、CDから再生した音声データを、音声データ転送回線２２を介してＨＭＩ機器１１に送信する(ステップ１０６)。
以後、オーディオソースの切り替えがあったか、あるいはパワーオフしたか監視し(ステップ１０７)、「YES」であれば処理を終了する。しかし、「NO」であれば、トラック番号、ディスク番号など差分描画データを発生する条件が成立したか監視し(ステップ１０８)、条件が成立しなければ、ステップ１０６以降の処理を繰返し、 条件が成立すれば、制御データ転送回線２１を介して該差分描画データをHMI機器１１に送信し(ステップ１０９)、以後、ステップ１０６以降の処理を繰返す。
【００１７】
一方、HMI機器１１のCPU５２は、操作部５１が再生オーディオソースとしてCDチェンジャ１２を選択すれば、該CDチェンジャ１２に再生起動コマンドを送信する(ステップ２０１)。又、CPU５２は信号切り替え部５４に音声データ転送回線２２より描画データを受信するよう切り替え指示する(ステップ２０２)。信号切り替え部５４は以後、音声データ転送回線２２より描画データを受信する(ステップ２０３，２０４)。CPU５２は該描画データを描画ドライバ５７に入力してCDチェンジャ１２の再生画像を表示する。
全ての描画データの受信が完了すれば、以後、CPU５２は音声データ転送回線２２より受信するデータは音声データであるとし、該音声データを音声回路５９，６０に入力するよう制御する。また、CPU５２は、制御データ転送回線２１より受信するデータは画像の差分描画データであるとみなして該差分描画データを用いて画像の変更制御を行なう(ステップ２０５)。
【００１８】
以上本発明によれば、大量の描画データ転送が必要な時(たとえばオーディオソース切り換え時)、音声データ転送回線を使用してオーディオソースからHMI機器に描画データを送ることができる。この結果、新規のオーディオソースをＨＭＩ機器が制御する必要が発生した場合でも、ＨＭＩ機器の設計をしなおす必要がない。
以上の実施例では、HMI機器１１とCDチェンジャ１２の間のデータ通信制御について説明したが、HMI機器１１と他のオーディオソース間のデータ通信制御も同様に行なうことができる。
また、以上の実施例ではHMI機器内にオーディオ回路を設けたが、図６に示すようにオーディオプロセッサ１５を設け、該オーディオプロセッサ内にオーディオ回路１５ａを配置するように構成することもできる。
【図面の簡単な説明】
【００１９】
【図１】本発明の実施形態説明図である。
【図２】本発明のオーディオ装置のシステム構成図である。
【図３】HMI機器とCDチェンジャの構成図である。
【図４】本発明のCDチェンジャの処理フローである。
【図５】HMI機器の処理フローである。
【図６】本発明のオーディオ装置の別のシステム構成図である。
【図７】従来のオーディオ装置のシステム構成図である。
【図８】従来のHMI機器とオーディオソース(たとえば、CDチェンジャ)間のデータ送受の説明図である。
【図９】チューナ機器選択時の表示例である。
【図１０】CDチェンジャ選択、再生時の表示例である。
【符号の説明】
【００２０】
１１  HMI機器
１２  CDチェンジャ
２１  制御データ転送回線
２２  音声データ転送回線
【図１】
2006040339.tif 000003
【図２】
2006040339.tif 000004
【図３】
2006040339.tif 000005
【図４】
2006040339.tif 000006
【図５】
2006040339.tif 000007
【図６】
2006040339.tif 000008
【図７】
2006040339.tif 000009
【図８】
2006040339.tif 000010
【図９】
2006040339.tif 000011
【図１０】
2006040339.tif 000012